(57)【特許請求の範囲】
【請求項１】
中板、後板、前板、糊代片の用紙片がこの順に連接され、前記後板と前記前板との間の折り線を中心として両観音折りし、対向する前記中板と糊代片の表面同士を糊貼りにより封止してなるリーフレットと、
前記リーフレットの長手方向と直交する方向に延設され、ボトルネックから吊り下げ可能に孔が形成された吊り下げ片とを備えており、
前記リーフレットには、前記中板と前記後板とを前記リーフレットの長手方向と直交する方向に引き裂いて開封するためのジッパーと、前記前板と前記糊代片とを切り離すためのミシン目と、前記リーフレットから前記吊り下げ片を切り離すためのミシン目とが形成され、
前記リーフレットの前記前板及び前記後板によってハガキ領域が構成され、
前記吊り下げ片に連接された用紙片の表面には、宣伝・広告が印刷されていることを特徴とするボトルネッカー。
【請求項２】
前記リーフレットの長手方向と前記ハガキ領域の長手方向は一致しており、
前記ハガキ領域の表面には宣伝・広告が印刷され、前記ハガキ領域の裏面には、宛て先及び発送者記入欄が印刷されていることを特徴とする請求項１記載のボトルネッカー。
【請求項３】
折り線を介して一方向に複数の用紙片が連接され、折り畳まれて、糊貼りにより封止してなるリーフレットと、
前記リーフレットに延設され、ボトルネックから吊り下げ可能に孔が形成された吊り下げ片とを備えており、
前記リーフレットには、開封するためのジッパーが形成されており、
前記リーフレットには、前記リーフレットの長手方向と同一方向に長手方向を有し、複数の用紙片によって構成される切り取り可能なハガキ領域が形成されて、前記リーフレットの短辺幅と前記ハガキ領域の短辺幅が一致しており、
前記吊り下げ片に連接された用紙片の表面には、宣伝・広告が印刷されていることを特徴とするボトルネッカー。
【請求項４】
前記吊り下げ片は、前記リーフレットの長手方向と直交する方向に延設され、
前記ハガキ領域の表面には宣伝・広告が印刷され、前記ハガキ領域の裏面には、宛て先及び発送者記入欄が印刷されていることを特徴とする請求項３記載のボトルネッカー。
【発明の詳細な説明】
【０００１】
【発明の属する技術分野】
本発明は、宣伝、広告用に使用されるボトルネッカーに関する。
【０００２】
【従来の技術】
従来のボトルネッカーは、新製品の販売促進のための宣伝、キャンペーンを進める一環として、ＰＯＰ広告（購買時点広告）的に新商品のボトルネックに取り付けて使用され、店頭におけるアイキャッチ効果を高め、また消費者に対する情報提供の役割を果している。
形式的には、一枚の用紙からなるものが多いが、ジグザグ折りしたままの複数ページからなるものもある。
【０００３】
【発明が解決しようとする課題】
しかしながら、これまでのボトルネッカーは、消費者に情報を一方的に伝達するだけの機能に終始していて、消費者の当該新商品に関する購入の動機、嗜好、セールスキャンペーンの一環として行うイベントや懸賞への参加希望、さらなる要望等の消費者側からの情報の伝達手段は全く配慮されていないという問題があった。
本発明は、前述の問題点に鑑みてなされたもので、一部を切り取れば直ぐハガキになり、これを使用することにより双方向の情報伝達を可能とするボトルネッカーの提供を目的とする。
【０００４】
【課題を解決するための手段】
前記課題を解決するために本発明に係るボトルネッカーは、中板、後板、前板、糊代片の用紙片がこの順に連接され、前記後板と前記前板との間の折り線を中心として両観音折りし、対向する前記中板と糊代片の表面同士を糊貼りにより封止してなるリーフレットと、前記リーフレットの長手方向と直交する方向に延設され、ボトルネックから吊り下げ可能に孔が形成された吊り下げ片とを備えており、前記リーフレットには、前記中板と前記後板とを前記リーフレットの長手方向と直交する方向に引き裂いて開封するためのジッパーと、前記前板と前記糊代片とを切り離すためのミシン目と、前記リーフレットから前記吊り下げ片を切り離すためのミシン目とが形成され、前記リーフレットの前記前板及び前記後板によってハガキ領域が構成され、前記吊り下げ片に連接された用紙片の表面には、宣伝・広告が印刷されていることを特徴とする。ここで、前記リーフレットの長手方向と前記ハガキ領域の長手方向は一致しており、前記ハガキ領域の表面には宣伝・広告が印刷され、前記ハガキ領域の裏面には、宛て先及び発送者記入欄が印刷されているとよい。または、本発明に係るボトルネッカーは、折り線を介して一方向に複数の用紙片が連接され、折り畳まれて、糊貼りにより封止してなるリーフレットと、前記リーフレットに延設され、ボトルネックから吊り下げ可能に孔が形成された吊り下げ片とを備えており、前記リーフレットには、開封するためのジッパーが形成されており、前記リーフレットには、前記リーフレットの長手方向と同一方向に長手方向を有し、複数の用紙片によって構成される切り取り可能なハガキ領域が形成されて、前記リーフレットの短辺幅と前記ハガキ領域の短辺幅が一致しており、前記吊り下げ片に連接された用紙片の表面には、宣伝・広告が印刷されていることを特徴とする。ここで、前記吊り下げ片は、前記リーフレットの長手方向と直交する方向に延設され、前記ハガキ領域の表面には宣伝・広告が印刷され、前記ハガキ領域の裏面には、宛て先及び発送者記入欄が印刷されているとよい。
【０００５】
【発明の実施の形態】
本発明に係るボトルネッカーの好適な実施形態を図面により詳細に説明する。図１は、ボトルネッカーの使用状態説明図である。ボトルネッカー２０は、ボトルＢのボトルネックから吊り下げられて使用される。
【０００６】
図２は、ボトルネッカー２０のブランク展開図である。図２（ａ）はブランクの表面図であり、図２（ｂ）は、ブランクの裏面図である。ボトルネッカー２０のブランク１０は、図２に示すように、中板１、後板２、前板３、糊代片４をこの順に折り線ａ〜ｃを介して連接したリーフレットＲに加えてさらに、前板３の残る一辺に打ち抜き孔６を有する吊り下げ片５を折り線ｄを介して連接してなるものである。この吊り下げ片５はリーフレットＲをボトルネックから吊り下げる吊り下げ手段として機能するものである。吊り下げ片５の取り付け位置は、両観音折りされたリーフレットの最前面にくる用紙片であることが外見上から好ましい。
【０００７】
また、ボトルネッカー２０のブランク１０には、封止されたリーフレットＲを容易に開封することができるジッパー７が設けられる。図２では、後板２における中板１に隣接する部分に、後板２を縦方向に所定の幅で引き裂くことができるジッパー７が設けられている。このジッパー７は片側をジッパー切り込み線ｊ、もう一方を折り線ａによって形成されているが、折り線ａはミシン目加工されている。尚、両側をジッパー切り込み線ｊとした正規のジッパーを後板２の任意の位置に設けてもよいが、後述するハガキＨの領域をできるだけ大きく確保し、しかも封止後の体裁をよくする意味から図２に示す後板２における位置が望ましい。
【０００８】
図２（ａ）に示す前板３とそれに連接されている吊り下げ片５の表面は、最も人目に付く場所で、キャンペーンの名称、キャッチコピー等が印刷される。後板２の表面は新商品やキャンペーンの内容案内欄等として使用することができる。中板１の表裏は新商品説明欄、アンケートの設問欄等として使用することができる。
前板３と罫線加工された折り線ｂによって連接されている後板２とは、前板３からミシン目加工されている折り線ｃ，ｄによって吊り下げ片５と糊代４とを切り取るとハガキＨとして利用が可能になる。従って、図２（ｂ）に示すように、前板３の裏面は、宛て先欄として利用でき、また後板２の裏面は発送者の個人情報記入欄、アンケート回答欄等として利用することができる。
一般に、郵便法によって、通常ハガキは、重量が２〜６ｇ、サイズが最大１５．４×１０．７ｃｍ，最小１４×９ｃｍと決められている。
従って、大型のリーフレットＲを形成し、前板３あるいは後板２の大きさが上記最小寸法を越えれば、前板３あるいは後板２だけをハガキＨとして利用することもできる。
【０００９】
図３は、ボトルネッカー２０の組み立て説明図である。図３（ａ）に示すように、ブランク１０の裏面を上にして、先ずミシン目加工されている折り線ａ，ｃによって中板１と糊代片４とを内側に折り返して図３（ｂ）の状態とし、次いで、罫線加工されている折り線ｂによって二つ折りして対向する斜線の部分同士を糊貼りして、図３（ｃ）に示す状態にすれば封止すればボトルネッカーとして使用することができる。
【００１０】
図４は、ボトルネッカー２０の開封とハガキ切り取り説明図である。消費者は、ボトルネッカー２０をボトルから外し、後板２端部に設けられているジッパー７を引き裂くと、リーフレットＲを容易に開封することができる。これによって裏面に記載されている情報を一覧することができ、現れるハガキＨをミシン目加工されている折り線ｃ，ｄから切り取ることができる。
【００１１】
ボトルネッカー２０に使用する用紙は、適度な剛性があり、鮮明なフルカラー印刷が可能であり、筆記性が良好で、前述の郵便法に適合する範囲の用紙であればいかなるものを使用してもよく、図２〜４で示す実施例の場合、例えばアートポスト系のもので１８０ｇ／ｍ2前後の板紙が好適に使用できる。なお、印刷は、これまで公知のいかなる方法によってもよい。
【００１２】
ボトルネッカー２０のサイズは、対象となるボトルの大きさに応じて、適宜に決めればよい。通常のボトルに対しては４０ｍｍの打ち抜き孔径を有する吊り下げ片５を設ければよく、リーフレットＲの前板３の大きさは７５×９０ｍｍ程度のものが適当であるが、これより大きくても差し支えない。ジッパー７の幅は使用する用紙にもよるが、後板２の幅の例えば７５ｍｍに対して７〜１０ｍｍの幅が好ましい。また、ジッパー切り込み線ｊの単位切り込みの形状も任意であって、Ｌ型に限定されずＹ字型であってもよい。
【００１３】
【発明の効果】
本発明によれば、複数ページからなり観音折りされたリーフレットに吊り下げ片５を連接することによって、通常のボトルネッカーと同様にボトルネックから吊り下げてＰＯＰ的な利用ができ、ジッパー７を設けることによって、封止されているリーフレットＲを容易に開封することができ，さらにリーフレットＲの一部をハガキＨとして取り出して、利用することが出来るので、メーカーあるいはディーラーとしては、消費者の当該新商品に関する購入の動機、嗜好、セールスキャンペーンの一環として行うイベントや懸賞への参加希望等に関する消費者情報を商品販売と同時に知ることができる。
【図面の簡単な説明】
【図１】本発明によるボトルネッカーの一実施形態を示す使用状態説明図
【図２】ボトルネッカーのブランク展開図
【図３】ボトルネッカーの組み立て説明図
【図４】ボトルネッカーの開封とハガキ切り取り
【図１】
0003883670.tif 000002
【図２】
0003883670.tif 000003
【図３】
0003883670.tif 000004
【図４】
0003883670.tif 000005